(57)【要約】【課題】書架の限られたスペースを最大限使用するため、ファイルを隙間なく収納しても、簡単且つ素早く取り出すことができるようにする。【解決手段】ファイルの背表紙側下部へ、指をかけて引き出すことができるようにするためのプルタブを帯状に成形し、該プルタブの左右に取り付け部を設け、背表紙をまたいで取り付けたプルタブ付きファイル。【選択図】図１
2016153207.tif 000002
【特許請求の範囲】
【請求項１】
ファイルの取扱い上支障のない背表紙側下部へ薄くて引張り強く透明性と柔軟性を有したプルタブを設け、指をかけて引き出すことができる「プルタブ付きファイル（１）」。
【請求項２】
既設ファイル本体の取扱い上支障のない背表紙側下部へ後付けするプルタブで、薄くて引張り強く透明性と柔軟性を有し、指をかけて引き出すことを可能にする「粘着剤付きプルタブ（２）」。
【請求項３】
「粘着剤付きプルタブ（２）」が確実に貼り付けできない既設ファイルの下地用として用いるもので「粘着剤付きプルタブ（２）」と同質、同幅で片面に粘着剤が塗工され離型紙を介してリール巻きされた「粘着剤付き補助テープ（３）」。
【発明の詳細な説明】
【技術分野】
【０００１】本発明は、書架に隙間なく収納されているファイルを簡単に引き出すことができるプルタブ付きファイル及び現に使用中のファイル（以下，既設ファイルと称す。）へ簡単に後付けできる粘着剤付きプルタブに関するものである。
【背景技術】
【０００２】従来、書架に収納されたファイルを取り出す場合、ファイルを掴んで取り出すか、トップに指をかけて手前に倒して取り出しているが、左右及び上部に隙間なく収納されている状態では容易に取り出すことができない。又、容易に取り出そうとすれば左右及び上部に夫々空間が必要であり、収納率の低下につながる等の問題があった。
【発明の概要】
【発明が解決しようとする課題】
【０００３】書架に隙間なく収容されるファイルを容易に取り出すことができるようにした構造のファイル及び既設ファイルを簡単且つ安価にて同じ構造に改善できる方案を提供する。
【課題を解決するための手段】
【０００４】ファイルの背表紙側下部にプルタブ（ａ）を設けた「プルタブ付きファイル（１）」を使用し、該プルタブに指をかけて引くことにより簡単に取り出せることを特徴する。【０００５】既設ファイル（ｂ）に関しては、背表紙側下部に「粘着剤付きプルタブ（２）」を貼り付け、該プルタブに指をかけて引くことにより簡単に取り出せることを特徴とする。【０００６】前述の「粘着剤付きプルタブ（２）」が確実に貼り付けできない場合、貼り付け面の下地用として「粘着剤付き補助テープ（３）」を用いることを特徴とする。
【発明の効果】
【０００７】書架へ高さ、幅方向共に隙間なく収納されたファイルであってもプルタブに指をかけて引くことにより簡単且つ安全に取り出すことが可能となり、作業性、安全性及び収納率の改善が図られる。
【図面の簡単な説明】
【０００８】
【図１】プルタブ付きファイル（１）の斜傾図である。
【図２】プルタブ付きファイル（１）の平面図である。
【図３】プルタブ取付け部の部分詳細図である。
【図４】粘着剤付きプルタブ（２）の平面図である。
【図５】粘着剤付きプルタブ（２）を貼り付けた既設ファイルの斜傾図である。
【図６】粘着剤付きプルタブ（２）を貼り付けた既設ファイルの平面図である。
【図７】粘着剤付きプルタブ（２）貼り付け部の部分詳細図である。
【図８】粘着剤付き補助テープ（３）及び粘着剤付きプルタブ（２）を貼り付けた既設ファイルの斜傾図である。
【図９】粘着剤付き補助テープ（３）及び粘着剤付きプルタブ（２）を貼り付けた既設ファイルの平面図である。
【図１０】粘着剤付き補助テープ（３）をリール巻きにした概要図である。
【発明を実施するための形態】
【０００９】ファイル本体の取扱い上支障のない背表紙側下部にプルタブ（ａ）を設けた「プルタブ付きファイル（１）」を用い、該プルタブに指２本かけて引くことにより簡単且つ安全に取り出すことができる。尚、プルタブ（ａ）は薄くて引張り強く透明性及び柔軟性を兼ね備えた軟質樹脂で、溶着、縫製又は粘着によりファイル本体へ取り付ける。粘着の場合にあっては、貼り付け部にファイルの引き出し負荷に耐え得る粘着剤を用いる。又、プルタブ（ａ）のサイズはファイルの幅によって選択され、色調は無色の他、必要に応じて選択される。
【００１０】既設ファイル（ｂ）にあっては、取扱い上支障のない背表紙側下部に「粘着剤付きプルタブ（２）」を貼り付け、該プルタブに指２本かけて引くことにより簡単且つ安全に取り出すことができる。尚、プルタブ（２）及び粘着剤（ｃ）の仕様は前述のプルタブ（ａ）及び粘着剤の通りとし、粘着剤塗工部には簡単に貼り付けできるよう離型紙（ｄ）を用いる。
【００１１】前述の「粘着剤付きプルタブ（２）」が表紙及び裏表紙へ確実に貼り付けできない場合は、表紙及び裏表紙の裏面付近まで「粘着剤付き補助テープ（３）」を貼り付けた後、その上に「粘着剤付きプルタブ（２）」を貼り付け、該プルタブに指２本かけて引くことにより簡単且つ安全に取り出すことができる。尚、粘着剤付き補助テープ（３）はプルタブ（ａ）と同質、同幅で片面に粘着剤（ｃ）を塗工後、離型紙（ｄ）を介してリール（ｅ）巻きの上、使用時に必要長さカットして用いる。
【符号の説明】
【００１２】１  プルタブ付きファイル
２  粘着剤付きプルタブ
３  粘着剤付き補助テープ
ａ  プルタブ
ｂ  既設ファイル
ｃ  粘着剤
ｄ  離型紙
ｅ  リール
【図１】
2016153207.tif 000003
【図２】
2016153207.tif 000004
【図３】
2016153207.tif 000005
【図４】
2016153207.tif 000006
【図５】
2016153207.tif 000007
【図６】
2016153207.tif 000008
【図７】
2016153207.tif 000009
【図８】
2016153207.tif 000010
【図９】
2016153207.tif 000011
【図１０】
2016153207.tif 000012
【手続補正書】
【提出日】平成27年4月30日(2015.4.30)
【手続補正１】
【補正対象書類名】明細書
【補正対象項目名】０００３
【補正方法】変更
【補正の内容】
【０００３】書架に隙間なく収納されるファイルを容易に取り出すことができるようにした構造のファイル及び既設ファイルを簡単且つ安価にて同じ構造に改善できる方案を提供する。
【手続補正２】
【補正対象書類名】明細書
【補正対象項目名】０００９
【補正方法】変更
【補正の内容】
【０００９】ファイル本体の取扱い上支障のない背表紙側下部にプルタブ（ａ）を設けた「プルタブ付きファイル（１）」を用い、該プルタブに指をかけて引くことにより簡単且つ安全に取り出すことができる。尚、プルタブ（ａ）は薄くて引張り強く透明性及び柔軟性を兼ね備えた軟質樹脂で、溶着、縫製又は粘着によりファイル本体へ取り付ける。粘着の場合にあっては、貼り付け部にファイルの引き出し負荷に耐え得る粘着剤（ｃ）を用いる。又、プルタブ（ａ）のサイズはファイルの幅によって選択され、色調は無色の他、必要に応じて選択される。
【手続補正３】
【補正対象書類名】明細書
【補正対象項目名】００１０
【補正方法】変更
【補正の内容】
【００１０】既設ファイル（ｂ）にあっては、取扱い上支障のない背表紙側下部に「粘着剤付きプルタブ（２）」を貼り付け、該プルタブに指をかけて引くことにより簡単且つ安全に取り出すことができる。尚、粘着剤付きプルタブ（２）の仕様は前述のプルタブ（ａ）及び粘着剤（ｃ）の通りとし、粘着剤塗工部には簡単に貼り付けできるよう離型紙（ｄ）を用いる。
【手続補正４】
【補正対象書類名】明細書
【補正対象項目名】００１１
【補正方法】変更
【補正の内容】
【００１１】前述の「粘着剤付きプルタブ（２）」が表紙及び裏表紙へ確実に貼り付けできない場合は、表紙及び裏表紙の裏面付近まで「粘着剤付き補助テープ（３）」を貼り付けた後、その上に「粘着剤付きプルタブ（２）」を貼り付け、該プルタブに指をかけて引くことにより簡単且つ安全に取り出すことができる。尚、粘着剤付き補助テープ（３）はプルタブ（ａ）と同質、同幅で片面に粘着剤（ｃ）を塗工後、離型紙（ｄ）を介してリール（ｅ）巻きの上、使用時に必要長さカットして用いる。
【手続補正書】
【提出日】平成27年12月15日(2015.12.15)
【手続補正１】
【補正対象書類名】明細書
【補正対象項目名】全文
【補正方法】変更
【補正の内容】
【発明の詳細な説明】
【技術分野】
【０００１】本発明は、ファイル背表紙側の下部にプルタブを設けた、プルタブ付きファイルに関するものである。
【背景技術】
【０００２】従来、書架に収納されたファイルを取り出す場合、ファイルを掴んで取り出すか、トップに指をかけ、手前に倒して取り出している。
【発明が解決しようとする課題】
【０００３】書架に、隙間なく収納されたファイルは、容易に取り出すことができない。容易に取り出そうとすれば、左右及び上部に夫々空間が必要であり、収納率の低下につながる等の問題があった。
本発明は、以上の問題点を解決するものである。
【課題を解決するための手段】
【０００４】ファイルの背表紙側下部へ、指をかけて引き出すことができるようにするためのプルタブを帯状に成形し、該プルタブの左右に取り付け部を設け、背表紙をまたいで取り付けたプルタブ付きファイル。
【発明の効果】
【０００５】書架へ高さ、幅方向共に隙間なく収納されたファイルであっても、プルタブに指をかけて引くことにより、ファイルを素早く取り出すことができる上、書架の最上段にあるファイルであっても、プルタブがファイルの下部にあるため、取出し高さが１段分低くなり、ステップが不要になると共に、収納率が改善できる。
【図面の簡単な説明】
【０００６】
【図１】本発明の取り付け状態斜傾図
【図２】本発明の取り付け状態平面図
【図３】本発明の平面図
【発明を実施するための形態】
【０００７】以下に本発明を実施するための形態を説明する。
（イ）プルタブ（１）は、薄くて柔軟性を有した合成樹脂シート等にて帯状に成形したもので、プルタブ（１）の両端に設けた表表紙側取付け部（２）及び裏表紙側取付け部（３）並びに中央の引手部（４）により構成されている。
（ロ）プルタブ（１）は、ファイル（５）の背表紙側下部へ、背表紙（６）をまたいで表表紙側取付け部（２）及び裏表紙側取付け部（３）にて固定する。
（ハ）表表紙側取付け部（２）及び裏表紙側取付け部（３）の裏面には、ファイル（５）に取り付けできるよう、夫々接着面を設ける。
（ニ）本実施例では、両端の取付け部は取り付け強度を高めるため、広い面積を有した四角形状にしてある。又、中央の引手部（４）は指をかけ易くするため、幅を狭くした帯状にて構成している。更に、両端の取付け部と、中央の引手部（４）の境界にある隅部は、切欠き効果による破断を防止するため、隅をＲ（丸み）加工すると共に、四角形状の周囲四角は、剥離防止を目的に角をＲ加工する。
本発明は以上のような構造である。
【０００８】本発明を使用する時は、先ず、プルタブ（１）の表表紙側取付け部（２）の裏面に設けた、接着面の離型紙を剥がし、ファイル表表紙と背表紙の境界線に、プルタブ（１）の表表紙側取付け部（２）と、引手部（４）の境界線を合わせた位置に取り付ける。この時、引手部（４）の下面を、ファイル下面より１０ｍｍ程度上がった位置に合わせる。続いて、裏表紙側取付け部を同じ要領にて取り付け、プルタブ付きファイルが完成する。
以降、該プルタブ付きファイルを、書架へ収納した際には、引手部（４）に指をかけて引くことにより、簡単且つ素早く取出すことができる。
【符号の説明】
【０００９】１  プルタブ、２  表表紙側取付け部、３  裏表紙側取付け部、４  引手部、５  ファイル、６  背表紙、７  表表紙、８  裏表紙
【手続補正２】
【補正対象書類名】特許請求の範囲
【補正対象項目名】全文
【補正方法】変更
【補正の内容】
【特許請求の範囲】
【請求項１】
ファイルの背表紙側下部に、指をかけて引き出すことができるようにするためのプルタブを帯状に成形し、該プルタブの左右に取付け部を設け、背表紙をまたいで取り付けたプルタブ付きファイル。
【手続補正４】
【補正対象書類名】図面
【補正対象項目名】全図
【補正方法】変更
【補正の内容】
【図１】
2016153207.tif 000013
【図２】
2016153207.tif 000014
【図３】
2016153207.tif 000015